(57)【要約】【課題】  滲み程度を計測する事で、滲みを考慮した吐出が可能な為、滲み量に最適な印字が可能になり、滲み程度が不明な媒体、縦横の漉き目で滲みが極端に異なる媒体、繊維状の媒体に関しても吐出印字が可能になり、制御に関しては、単色の誤差拡散マトリックス、反応性の下打ち吐出の制御マトリックス、滲み回避の為の吐出抑止マトリックスを制御して、滲みのない安定した印字を可能にする効果があるインクジェット・プリンタの提供。【解決手段】  媒体への縦横の滲み量を測定して、印字制御を変更するようにしたことを特徴とするインクジェット・プリンタ。【選択図】        図１
2007069378.tif 000002
【特許請求の範囲】
【請求項１】
インクジェット・プリンタに於いて、媒体への縦横の滲み量を測定して、印字制御を変更するようにしたことを特徴とするインクジェット・プリンタ。
【請求項２】
インクジェット・プリンタに於いて、媒体の縦横の滲み量に応じて、誤差拡散を変更するようにしたことを特徴とするインクジェット・プリンタ。
【請求項３】
インクジェット・プリンタに於いて、媒体の縦横の滲み量に応じて、滲みやすい吐出の吐出制御を変更するようにしたことを特徴とするインクジェット・プリンタ。
【請求項４】
インクジェット・プリンタに於いて、媒体の縦横の滲み量に応じて、下打ち用の吐出制御を変更するようにしたことを特徴とするインクジェット・プリンタ。
【発明の詳細な説明】
【技術分野】
【０００１】
本発明はインク滴の吐出を用いた印刷装置の吐出制御に係るインクジェット・プリンタに関する。
【背景技術】
【０００２】
従来から、紙質によって滲み特性やインクの許容容量が異なる事から、印刷に際して紙種を指定して、吐出特性や濃度再現の為に誤差拡散を用いる場合にはその拡散特性を変化させていた。
【０００３】
例えば特許文献１は、紙種から滲み度合いを予定して、滲むと予定された場合は隣接画素への吐出が行われ難い様に、誤差拡散のパターンを「ＯＦＦ誤差拡散マトリックス」に変更して、滲みによって印字パターンが潰れてしまったり、濃度再現が異なってしまう事を防止した提案である。
【０００４】
また、例えば特許文献２は、紙種に依って、吐出パルス幅を短くして、吐出量を減らし、ドットを小さくして、印字を滲まない様に制御した提案である。
【特許文献１】特許第３３９１０４７号公報
【特許文献２】特開平１１−２７７７７５号公報
【発明の開示】
【発明が解決しようとする課題】
【０００５】
一般的には、紙質を選択指示する事で、平均的滲みを考慮した吐出に変更する事は行われている。
【０００６】
しかし現実には、正確な紙種が分からなかったり、「普通紙」の様に一般名称しか分からず、実際の滲み特性は、メーカーや型番だけでなくロットや保管条件によっても異なる場合が多いと言える。
【０００７】
また実際の紙媒体は、その製造方法の為に繊維に方向性があり、その方向によって滲み特性に縦横の相違がある。その上、所望の大きさに裁断するに伴い縦横が交番する為に、カット紙の滲み方向については印字しなければ分からないのが現実である。
【０００８】
本発明は、以上の点に着目して成されたもので、被印字媒体の滲み方向特性を計測・把握し、その方向によって誤差拡散特性を変更したり、隣接する他色の吐出を補正（抑圧）したり、下打ちの吐出パターンを変更することで、異常な滲みの画像を防止し、下打ちの滲み出しを防止するインクジェット・プリンタを提供することを目的にしている。
【課題を解決するための手段】
【０００９】
印字レジストレーション検知機能を用いて、間隔が異なる複数の縦横のパターンを印字し、滲みの重複による濃度変化の発生する印字間隔から縦横の滲み量を計測する。
【００１０】
その滲み（程度）方向によって、誤差拡散方向や隣接する他色を抑圧したり、反応性インクの方向別吐出精度を変更する。
【００１１】
即ち、滲みを考慮して主インク吐出の誤差拡散方向を縦横変更して、滲み方向への誤差拡散を減らし、直角方向への誤差拡散を増やす様に変更したり、拡散吐出のパルス周期を変更して滲み方向の拡散吐出を間引く事で、異常な印字滲みの発生を防止している。
【００１２】
また、極端に色や濃度が異なる吐出が隣接し、滲みが予想される場合は、混色を防ぐ為に淡色の吐出を隣接部分だけ抑制して、色相の変化を僅かに留め、異色の滲み出しを防止する。
【００１３】
また、反応性の下打ち吐出に関しては、下打ちを有効にする為に、主吐出領域をカバーするように吐出し、下打ちの滲みが主吐出領域からハミ出て下打ち色が見える事のない様にする必要がある。この為に、滲みを考慮して下打ちインク吐出の誤差拡散方向を縦横変更して、滲み方向への誤差拡散を減らし、直角方向への誤差拡散を増やす様に変更したり、拡散吐出のパルス周期を変更して滲み方向の拡散吐出を間引く事で、適切に下打ち吐出を行い、下打ち吐出のはみ出しを防止している。
【００１４】
すなわち、本発明の技術内容は以下の構成を備えることにより前記課題を解決できた。
【００１５】
（１）インクジェット・プリンタに於いて、媒体への縦横の滲み量を測定して、印字制御を変更するようにしたことを特徴とするインクジェット・プリンタ。
【００１６】
（２）インクジェット・プリンタに於いて、媒体の縦横の滲み量に応じて、誤差拡散を変更するようにしたことを特徴とするインクジェット・プリンタ。
【００１７】
（３）インクジェット・プリンタに於いて、媒体の縦横の滲み量に応じて、滲みやすい吐出の吐出制御を変更するようにしたことを特徴とするインクジェット・プリンタ。
【００１８】
（４）インクジェット・プリンタに於いて、媒体の縦横の滲み量に応じて、下打ち用の吐出制御を変更するようにしたことを特徴とするインクジェット・プリンタ。
【発明の効果】
【００１９】
本発明によれば、実際に吐出して、滲みを縦横方向に測定し、その滲み方の方向によって吐出特性を変更する事で、紙種が不確実でも、縦横の滲み特性が極端に異なっていても、媒体の紙目が異なる場合でも、適切な吐出制御が可能になる。
【００２０】
この事で、アート系の様に描画効果を狙った（滲む）媒体の印字に際しても、適切に印字する事が可能になり、使用分野を大幅に広げる事が出来る。
【発明を実施するための最良の形態】
【００２１】
以下本発明を実施するための最良の形態を、実施例により詳しく説明する。
【実施例】
【００２２】
１）滲み検知：縦や横に平行の線描画を行い、その間隔を変化させた場合の濃度変化から滲みを検知する。
【００２３】
即ち、独立した２線の間隔（周期）を変更して印字した場合、滲み合うまでは周期に比例した濃度変化を示すが、滲み合った２線に成った場合に濃度変化が異なってくる、この事から、滲み間隔を算定する。
【００２４】
図１は印字・測定部分の実施例で、媒体１が図手前方向に給送される中で、キャリッジ４は図左右方向に移動し、印字ヘッド５は媒体に対して吐出印字を行う。
【００２５】
その後、ＬＥＤ２で照明された被印字物をセンサ３で捉える事で、印字状態の濃度を測定出来るように構成している。
【００２６】
図２は横方向の滲み検知に関する図で、通常は所定の間隔な平行線１２で有るが２線が横方向に滲む場合、滲んだ平行線１１と成って、間隔が異なる場合に滲み合う事で観測濃度が変化する間隔として、滲みが検出できる。
【００２７】
図３は縦方向（給紙方向）の滲み検知に関する図で、通常は所定の間隔な平行線１７で有るが２線が縦方向に滲む場合、滲んだ平行線１６と成って、間隔が異なる場合に滲み合う事で観測濃度が変化する間隔として、滲みが検出できる。
【００２８】
この事で、被印字媒体の縦横の滲み程度が測定でき、紙の目方向によって滲み程度が異なる場合にも、その方向と量が正確に測定でき、それに応じて印字制御を行う事が可能になる。
【００２９】
２）吐出制御：誤差拡散方向の変更に於いては、拡散方向が縦／横に特色のあるマトリックスに変更して、縦横の拡散に依る滲みドットの発生を防止したり、横方向の拡散寸法を変更すべく、横方向のクロックを変更して、間引いて吐出する事で、滲みを押さえる事が出来る。
【００３０】
これで、主色の誤差拡散形状を変更したり、定着や浸透目的で同時に吐出する反応性インクの吐出形状を変更して、紙面上の反応性インクの滲みを利用して、滲み出さない、少量の補助インクで、同じ効果が得られるように出来る。
【００３１】
図４は、吐出データの制御部分の実施例である。
【００３２】
画像の黒情報２４は黒情報配列２７に収納され、ドット・データに変換する為に誤差拡散を乗算器３１で行い、黒吐出配列３４に格納され、その後、黒吐出ヘッド４１に転送されて、実際に黒吐出印字を行う。
【００３３】
同様に、画像の黄情報２５は黄情報配列２８に収納され、ドット・データに変換する為に誤差拡散を乗算器３２で行い、黄吐出配列３５に格納され、その後、黄吐出ヘッド４２に転送されて、実際に黄吐出印字を行う。
【００３４】
また、画像のシアン情報２６はシアン情報配列２９に収納され、ドット・データに変換する為に誤差拡散を乗算器３３で行い、シアン吐出配列３６に格納され、その後、シアン吐出ヘッド４３に転送されて、実際にシアン吐出印字を行う。
【００３５】
滲み方向情報２１は、誤差拡散の元データ２２を展開する場合に用いられ、滲みの大きい場合は拡散を間抜けるように広げ、縦横に滲みが異なる場合は、滲み方向が密にならない方向に縦横変換を行って、演算用の誤差マトリックス２３に格納され、誤差拡散演算に用いられる。
【００３６】
図５はこのマトリックスの例で、横方向の滲み量が大きい場合で説明する。
【００３７】
「通常時」のマトリックスに比べ、「反転時」に示すように横方向の吐出を抑えるように縦横変更したり、「拡張時」に示すように展開クロックを変更したり零を挿入する事で横方向の連続吐出を制限する事で実現できる。
【００３８】
このマトリックスからも明らかなように、「拡張時」は「通常時」を間引いて拡張した形状をしており、横方向の演算周期を拡張したり、演算クロックを間引く事で、マトリックスの対応関係を変更することで同様なことができることは言うまでもない。
【００３９】
この事で、滲み方向への連続吐出を減らして、直行方向へ連続吐出を振り分ける事で、総吐出量（≒濃度）の変更無しに、滲み画像を防止できる効果がある。
【００４０】
無論、縦横共に滲みが大きい場合は、誤差マトリックスが広がってしまうが、実滲み量に整合するように調整する事が出来る。
【００４１】
また、例えばシアンが黒との間で滲みや干渉を起こし易い場合、黒吐出配列３４の情報を抑圧器３８を通して、黒ドットが連続する場合に、滲み方向情報を考慮して、黒ドットの隣接位置に対応して、滲み方向に隣接したシアンの吐出を抑圧するように、シアン吐出配列３５の吐出データを部分修正する。
【００４２】
図６はこの為の抑止マトリックス例で、横方向の滲み量が大きい場合で説明する。
【００４３】
「通常時」は黒ドットに該当するマトリックス中央の零を乗算する事で該当位置の吐出を制限するだけだが、「拡張時」に示すように中央と左右の零を乗算する事で、滲み易い左右方向に関してシアンの吐出が発生しないように修正を行って、滲み合いを防止するようにした。
【００４４】
このマトリックスからも明らかなように、「拡張時」は「通常時」を左右に拡張した形状をしており、横方向の演算を拡張したり、演算クロックを間引く事で、マトリックスと被演算対象の対応関係を変更して禁止領域を広げることで同様なことができることは言うまでもない。
【００４５】
これは、滲み方向を考慮して、滲む方向だけの隣接ドットを抑圧する為、シアン濃度の変化も少なく、滲みによる異常混色を正確に防止する事が出来る。
【００４６】
逆に、例えば黄が黒の下打ちとして用いられる場合、黒吐出配列３４の情報を拡張器３７を通して、黒ドットが連続する場合に、滲み方向情報を考慮して、黒ドットの位置に対応して、滲み方向に散発的に下打ち吐出を行う様に、黄吐出配列３５の吐出データを生成する。
【００４７】
図７はこの為の下打ちマトリックス例で、横方向の滲み量が大きい場合で説明する。
【００４８】
「通常時」は黒ドットに該当するマトリックス中央の１を演算する事で、周囲を変更せずに該当位置の下打ち吐出を行うだけだが、「サンプル時」に示すように中央と左の零を演算する事で、滲み易い左右方向に関して連続した下打ち吐出を抑圧し、下打ちの滲み効果で無駄な下打ちを制限するようにした。
【００４９】
このマトリックスからも明らかなように、「サンプル時」は「通常時」を左右に拡張した形状をしており、横方向の演算を拡張したり、演算クロックを間引く事で、マトリックスと被演算対象の対応関係を変更して連続下打ちを間欠下打ちに変更する事で同様なことができることは言うまでもない。
【００５０】
この事で、滲み方向を考慮して下打ちを間引く事が可能となり、下打ちが過多になったり、下打ちがハミ出してしまう事を無くする事が出来る。
【００５１】
アナログ的には縦横滲み量に比例して拡散や禁止のマトリックス密度を変更して拡散する事が望ましいが、微少でないマトリックスの場合はマトリックスの大きさが過大に成りすぎて描画に影響を与える場合もある為、本発明ではマトリックスの若干の変更に留めた。
【００５２】
なお、斜め方向に滲む場合ついては、縦横の両方向に滲みが大きい吐処理され、マトリックスの拡大で対応するように構成されている。
【産業上の利用可能性】
【００５３】
以上説明したように、滲み程度を考慮した吐出が可能な為、媒体としては紙に限定することなく、繊維状の媒体に関しても応用展開が可能である。
【図面の簡単な説明】
【００５４】
【図１】印字・濃度検知機構を示す図
【図２】横方向の滲みを示す図
【図３】縦方向の滲みを示す図
【図４】吐出制御のブロック図
【図５】誤差拡散マトリックス例を示す図
【図６】禁止マトリックス例を示す図
【図７】下打ちマトリックス例を示す図
【符号の説明】
【００５５】
４    キャリッジ
５    吐出ヘッド
２３  誤差拡散配列
２７  画像の黒情報配列
３４  黒吐出配列
４１  吐出ヘッド
【図１】
2007069378.tif 000003
【図２】
2007069378.tif 000004
【図３】
2007069378.tif 000005
【図４】
2007069378.tif 000006
【図５】
2007069378.tif 000007
【図６】
2007069378.tif 000008
【図７】
2007069378.tif 000009